(57)【要約】      （修正有）【課題】ジャック差込時に機器の出力を弱めたり、運転エネルギーを止めるためのスイッチを有するコネクタの取付スペースが小さい、シェル及び状態スイッチを有する電気コネクタの提供。【解決手段】ジャック２９を受容するためのコンタクト部分、基材１３に対してコネクタ１の位置を確定するためのシェル３、およびジャック２９をコンタクト領域２８に差し込むことによって操作されるように構成される状態スイッチを有して成るメス電気コネクタ１であり、スイッチコンタクト３３は、シェル３から少なくとも部分的に打ち抜かれ、それでもなお、コンタクト部材に対向して配置される側壁１９に接続している。【選択図】図１
2011142078.tif 000002
【特許請求の範囲】
【請求項１】
コンタクト部分（２８）の長手方向（Ｌ）に伸びるプラグ方向（Ｄ）で、ジャック（２９）を受容するためのコンタクト部分（２８）、基材（１３）に対してコネクタ（１）の位置を確定するためのシェル（３）、およびジャック（２９）をプラグ方向（Ｄ）にコンタクト部分（２８）へ差し込むことによって操作されるように構成される状態スイッチ（Ｓ）を有して成るメス電気コネクタ（１）であって、スイッチ（Ｓ）がシェル（３）に少なくとも部分的に一体化されていることを特徴とするメス電気コネクタ。
【請求項２】
スイッチ（Ｓ）はシェル（３）の端部（Ｆ）に形成され、端部（Ｆ）は、プラグ方向（Ｄ）に向かうことを特徴とする、請求項１に記載のメス電気コネクタ（１）。
【請求項３】
シェル（３）は、コネクタ（１）のプラグ方向（Ｄ）に向かう前方部（２６）に隣接することを特徴とする、請求項１または請求項２に記載のメス電気コネクタ（１）。
【請求項４】
前方部（２６）は、カラー（２７）を有するように形成されていることを特徴とする、請求項３に記載のメス電気コネクタ（１）。
【請求項５】
スイッチ（Ｓ）は、シェル（３）から離れているスイッチング要素（３３’）を有して成り、スイッチング要素（３３’）は、ジャック（２９）のコンタクト部分（２８）への差し込みに応じて、シェル（３）と接触するおよびシェル（３）と接触しないように動くことができることを特徴とする、請求項１〜請求項４のいずれかに記載のメス電気コネクタ（１）。
【請求項６】
シェル（３）は、長手方向（Ｌ）に対して横方向の半径方向（Ｒ）で、スイッチング要素（３３’）に少なくとも部分的に重なることを特徴とする、請求項５に記載のメス電気コネクタ（１）。
【請求項７】
スイッチング要素（３３’）は、ジャック（２９）を接続するように構成された別個のコンタクト部材（４）によって形成され、スイッチング要素（３３’）は、プラグ方向（Ｄ）におけるコネクタ（１）の第１のコンタクト部材（４）であることを特徴とする、請求項５または請求項６に記載のメス電気コネクタ（１）。
【請求項８】
コネクタ（１）は、ジャック（２９）と接触するように構成された少なくとも１つの更なるコンタクト部材（５、６）を有して成り、少なくとも１つの更なるコンタクト部材（５、６）は、プラグ方向（Ｄ）にスイッチ（Ｓ）からある距離を隔てて配置されることを特徴とする、請求項７に記載のメス電気コネクタ（１）。
【請求項９】
シェル（３）は、コネクタ（１）の本体部（２）を包囲することを特徴とする、請求項１〜請求項８のいずれかに記載のメス電気コネクタ。
【請求項１０】
シェル（３）は、本体部（２）に取り付けられることを特徴とする、請求項９に記載のメス電気コネクタ（１）。
【請求項１１】
シェル（３）は、基材（１３）に取り付けられるように構成された少なくとも１つの締結部材（２２、２３）を有し、少なくとも１つの締結部材（２２、２３）は、ジャック（２９）の差し込みに応じて、別個のスイッチング要素（３３’）に導電的に接続されることを特徴とする、請求項１〜請求項１０のいずれかに記載のメス電気コネクタ（１）。
【請求項１２】
シェル（３）は、導電材料で作られることを特徴とする、請求項１〜請求項１１のいずれかに記載のメス電気コネクタ（１）。
【発明の詳細な説明】
【技術分野】
【０００１】
本発明は、コンタクト部分の長手方向に対して平行に伸びるプラグ方向にジャックを受容するためのコンタクト部分、基材に対してコネクタの位置を確定するためのシェル、およびジャックをプラグ方向にコンタクト部分へ差し込むことによって操作されるように構成される状態スイッチを有して成る、電気メスコネクタに関する。
【背景技術】
【０００２】
上記の種類の電気コネクタは、チップ−スリーブ−、チップ−リング−スリーブ、チップ−リング−リング−スリーブもしくは同様の種類のジャックまたはプラグに接続されることができ、かつ拡声器またはヘッドフォンのステレオジャックをMP3プレーヤー、携帯電話またはコンピュータのようなマルチメディア機器に接続するために、しばしば用いられる。ジャックをメス電気コネクタに差し込むことによって、ヘッドフォンまたはスピーカーを機器に接続する場合、コンタクトセクション（例えば、ジャックの上記の種類のチップまたはリングの１つ）が電気コネクタのコンタクト部材を通ると、ノイズが起こる可能性がある。このノイズを避けるために、ジャックを差し込む間中、機器の出力を弱めるスイッチを、コネクタに追加することが既知である。当該技術の状況では、そのようなスイッチは、コネクタに追加される別個の部分として形成される。
【０００３】
コネクタのもう１つの利用は、機器を低電圧運転エネルギー電源に接続することである。ここで、差し込み操作の間、間違った接続または短絡を避けるために、ジャックの差し込み操作の間、運転エネルギーを止めるように、スイッチが用いられる。
【発明の概要】
【発明が解決しようとする課題】
【０００４】
とりわけ、コネクタがコンピュータ、携帯電話またはMP3−プレーヤーと一緒に用いられる場合、コネクタのための取り付けスペースは限られるため、追加のスイッチは、機器内における取り付けスペースと同時に、材料および操作のためのより高いコストに対する受け入れ難い要求を生じさせる。先に記載の先行技術の不利益を考慮し、本発明の根底にある目的は、より小さな取り付けスペースしか必要としないスイッチを有する電気コネクタを提供することである。
【課題を解決するための手段】
【０００５】
この目的は、冒頭で説明したメス電気コネクタに対して、スイッチがシェルに少なくとも部分的に一体化されていることによって、本発明に基づいて達成される。
【０００６】
本発明に基づくコネクタは、別個のスイッチング手段を必要とすることなくスイッチ機能を提供し、機能性、取り付けスペースおよび製造コストに関する要求を満たすコネクタをもたらす。更に、ただ１つの部分、即ちコネクタのみであり、機器の製造工程の間、追加のスイッチは取り扱われる必要がないため、接続およびスイッチング機能を導入するためのコストは、先行技術と比べてより低い。
【０００７】
本発明に基づく解決手段は、それぞれの場合に単独で有利な以下の更なる実施形態によって、要望通りに組み合わせられてよく、かつ更に改良されてよい。
【０００８】
特に、コネクタを携帯機器（例えばMP3−プレーヤー）に取り付ける場合、機械力が、長手方向に対して横方向の半径方向にジャックに作用することがあり、その機械力は、コネクタの中を通過する。その力は、コネクタを基材から離すのに十分であることがある。
【０００９】
基材は、信号を伝導するような方法でジャックに接続されることができるコネクタのコンタクト部材の電気接続のためのものを提供する、プリント回路基板であってよい。機械力が大きすぎる場合、その機械力は、基材から接続を切り離させ、その結果、機器の機能不良をもたらすことがある。
【００１０】
基材とコネクタとの間の接続を確保するために、シェルが本体部を包囲し、かつシェルが基材に取り付けられるように、シェルは、コネクタの本体部に設置されてよい。コンタクト部分が中に配置されている本体部に作用する、長手方向に対して横方向の機械力は、シェルによって少なくとも部分的に吸収され、基材へ導かれることができる。コネクタのコンタクト部材は、それらの力を更に基材へ導くことができる。
【００１１】
シェルを基材に取り付けるために、シェルは、基材に、例えばネジで留められる、あるいは接着されてよい。どのような場合でも、コネクタのコンタクト部材は、例えばリフローはんだ付けによって、基材にはんだ付けされる必要があるため、シェルを基材にはんだ付けすることによってシェルを取り付けることは、同じ処理工程の間に実施されてよい。はんだ付けによる取り付けは、基板へのシェルの電気接続、有利には接地を提供することができるため、はんだ付けによる取り付けは、もう１つの有利な効果をもたらしうる。シェルの接地は、静電放電保護をもたらすことができる。更に、シェルに少なくとも部分的に一体化されているスイッチは、このようにして基材に容易に電気的に接続されることができる。シェルを基材に取り付けるために、例えばネジで留めること、接着すること、あるいははんだ付けすることによって基材に取り付けられるように構成され、場合によっては、スイッチと基材との間に導電接続を提供する、少なくとも１つの締結部材を、シェルは有してよい。
【００１２】
もう１つの可能な更なる実施形態に基づいて、シェルは、本体部に取り付けられてよい。例えば、シェルおよび本体部はラッチ手段を有してよく、それを介して、シェルは本体部に掛け金をかけられる。そのようなコネクタは、例えばピック＆プレース機械の真空ノズルによって、無事に容易に操作されてよい。
【００１３】
コネクタの更に有利な実施形態において、状態スイッチは、シェルの端部にて形成されてよく、その端部は、プラグ方向に向かう。差込またはプラグ差込の操作が終わる前に、ジャックはこの箇所でスイッチに到達するため、差込作業の初期、ジャックがコネクタに部分的にしか差し込まれていない場合であっても、スイッチは、ジャックの差込状態を検知することができる。状態スイッチは、差込作業の初期にジャックによって作動することが好ましい。
【００１４】
スイッチを得るために、シェルと相互作用する少なくとも１つの別個のスイッチング要素が必要である。従って、スイッチは、ジャックのコンタクト部分への差込に応じてシェルと接触するおよび接触しないように動くことができる、シェルから離れているスイッチング要素を有してよい。特に、少なくとも別個のスイッチング要素は、ジャックによって半径方向に弾性的に位置を変えられてよい。
【００１５】
シェルおよび別個のスイッチング要素が、ジャックの差込に応じて接触するおよび接触しないことができることを達成するために、シェルは、半径方向に、別個のスイッチング要素に少なくとも部分的に重なることができる。特に、シェルの少なくとも一部は、別個のスイッチング要素のホームポジションにおいて半径方向にコンタクト部分へ延在する自由端部に重なることができる。例えば、別個のスイッチング要素の自由端部は、ジャックによって、少なくとも自由端部が歪んだ配置に至るまで、ホームポジションからシェルに向かって動かされることができ、その配置において、自由端部はシェルと接触し、それゆえ常開スイッチを形成する。ホームポジションにおいて、常開状態スイッチは、開口状態または非導電状態であり、かつ歪んだ配置において、常開状態スイッチは、閉鎖状態または導電状態になる。閉鎖状態において、少なくとも１つの締結部材は、別個のスイッチング要素に導電的に接続されることができ、ジャックの差込に応じて、状態信号を形成する。
【００１６】
別の実施形態において、別個のスイッチング要素は、そのホームポジションで、シェルと電気接触していてよく、ならびに例えば、シェルはジャックによって段階的に歪められ、シェルおよび別個のスイッチング要素との断絶をもたらし、それ故に、常閉接点を形成してよい。
【００１７】
別個のスイッチング要素は、ジャックを基材と電気的に接続するように構成された別個のコンタクト部材によって作られてよく、その別個のスイッチング要素は、状態スイッチの開口状態において、シェルから電気的に絶縁されている。別個のスイッチング要素は、２つの機能、即ち、スイッチング機能およびジャックと接触する機能を果たすことができる。例えば、別個のコンタクト部材は、ジャックの接地に機器の接地を連絡するために形成されてよい。ジャックは、2.5mm、3.5mmまたは6.5mmのオーディオジャックとして、または類似の形状を有するジャックとして形成されてよい。
【００１８】
２つの上記の機能を果たすために、コンタクト部材は、弾性的に変形するまたは歪むことができてよい。例えば、コンタクト部材は、ホームポジションにおいて、コネクタのシェルまたは本体部に接続されているバネによって保持されてよい。更に、コンタクト部材は、Ｍ字形であってよく、２つの脚部の少なくとも一方は、基材に対して可撓性を有し、コンタクト部材の中間部は、ジャックによって変形可能である。より小さくより安価なコンタクト部材は、Ｚ字形を用いることによって達成されることができ、ジャックが差し込まれない限り、Ｚの下方脚部は、基材に接続でき、Ｚの上方脚部は、コンタクト部分へ突出する。スイッチが常開接点として形成される場合、歪んだ配置において、コンタクト部材は、ジャックおよびシェルと接触することができる。
【００１９】
更なる有利な実施形態において、別個のコンタクト部材または別個のスイッチング要素は、プラグ方向において、コネクタの第１コンタクト部材であってよい。従って、状態スイッチは、プラグ操作の初期に早期に作動させられ、望ましくない短絡またはノイズを避けることができる。コネクタは、少なくとも１つの更なるコンタクト部材を有してよく、その更なるコンタクト部材は、第１コンタクト部材の後方に配置され、例えば信号または運転エネルギーを伝送するために用いられることができる。場合によって、コネクタは、２つの先に記載のコンタクト部材のプラグ方向に後方に配置された、更なるもう１つのコンタクト部材を有するように形成されてよい。当然ながら、コネクタは、第１コンタクト部材のプラグ方向に後方に配置された更なるコンタクト部材を有してよく、これら更なるコンタクト部材は、信号もしくは出力の伝送または他の目的のために構成される。
【００２０】
もう１つの可能な更なる実施形態に基づいて、状態スイッチは、別個のスイッチング要素と相互作用するためのスイッチコンタクトを有してよい。スイッチコンタクトは、プラグ方向に向かうシェルの端部にて、シェルの導電セクションによって形成されてよい。
【００２１】
シェルは、例えば打抜加工によって、導電性シート金属で作られてよい。この打抜加工の間、シート金属の一部、従ってシェルの一部は、残りのシェルから少なくとも部分的に離されてよく、この分離セクションは、舌形スイッチコンタクトを形成する。それでもなお、そのスイッチコンタクトはシェルの一部である。スイッチコンタクトとシェルとの間に、別個の接続が確立される必要はない。
【００２２】
スイッチコンタクトおよび特にその自由端部／舌部の先端部は、別個のスイッチング要素に半径方向に少なくとも部分的に重なることができ、かつ別個のスイッチング要素によってまたはジャックそれ自体によって、弾性的に歪むことが可能または変形可能であるように構成されてよい。
【００２３】
更に、この実施形態において、シェルは、プラグ方向に向かって本体部の前方の領域まで達することができる。本体部の前方からシェルに至る間の距離がてこ部の長さを決定し、そのてこ部を介して、ジャックによってもたらされる機械力およびその結果生じる回転力が、コネクタに作用するため、本体部の前方の領域におけるシェルのそのアレンジメントは、最小の長さを有するてこ部を形成し、それによって、コンタクトの基材への有効な取り付けを形成する。
【００２４】
スイッチからプラグ方向にある距離を隔てて配置されるジャックと接触するように構成された、少なくとも１つの更なるコンタクト部材を有してよい。従って、２つまたはそれより多くの極を有するジャックを、そのコネクタと一緒に用いることができ、例えば運転出力、対称信号、ステレオ音声信号および／または制御信号を伝送することができる。
【００２５】
操作または組み立ての目的のために、プラグ方向に向かい、かつ本体部の上方に半径方向に突出するコネクタの前方部にて、コネクタはカラーを有するように形成されてよい。このカラーは、ジャックのためにコンタクト部分の開口部を補強し、コネクタの操作工程の間、コンタクト部材のコンタクト端部およびシェルの締結部材を変形から守ることができる。更に、シェルは、前方部、例えばカラーに隣接してよく、それゆえカラーは、シェルの組み立てのための制限停止部として用いられてよく、コネクタの組み立てを平易にする。しかしながら、コネクタは、カラーを有さないように形成されてもよく、それでもなお、シェルは前方部にて終わる。
【００２６】
コネクタは、１つより多くのコンタクト部分を有してよく、その更なるコンタクト部分は、本発明に基づく状態スイッチを有して、またはスイッチを有さずに形成される。更に、状態スイッチは、プラグ方向に第１コンタクト部材からある距離を隔てて配置されてよく、差込操作の途中または終わりにて、ジャックの差込の状態を検知する。特に、スイッチは、最終配置のスイッチとして形成されてよく、ジャックがコンタクト部分へ完全に差し込まれていることを検知する。更に、２つまたはそれより多くの状態スイッチが提供されてよく、それは、例えば、コンタクト部分のそれぞれの端部の領域内にある１つの状態スイッチである。
【００２７】
本発明を、図面を参照して、有利な実施形態を用いる典型的な様式で、より詳細に、以下にて説明する。説明される実施形態は、単なる可能な配置であり、一方で、その配置において、先に説明した個々の特徴が、互いに独立して提供されてよく、かつ図面において省略されてよい。
【図面の簡単な説明】
【００２８】
【図１】図１は、本発明に基づく電気コネクタの第１の実施形態の概略斜視図である。
【図２】図２は、もう１つの典型的な実施形態の概略斜視図である。
【図３】図３は、電気コネクタの本体部が省略されている、図２の実施形態を示す。
【図４−６】図４〜図６は、概略的な断面正面図における図２および図３の実施形態を示す。
【発明を実施するための形態】
【００２９】
コネクタ１の概略斜視図を示す図１を参照して、本発明に基づく電気コネクタ１の構造を、まず以下に説明する。コネクタ１は、本体部２、シェル３および３つのコンタクト部材４〜６と一緒に図示されている。コンタクト部材４は、コネクタ１の長手方向Ｌにおける、コネクタ１の第１コンタクト部材である。その隣のコンタクト部材は、コンタクト部材５であり、順に長手方向Ｌに、コンタクト部材６がそれに続く。コンタクト部材４〜６のコンタクト端部７〜９は、本体部２から突出して、基材１３のコンタクトパッド１０〜１２にのしかかり、その基材１３それ自体は、コネクタ１の部分ではない。基材１３は、プリント回路基板であってよく、それは、信号を伝送するようにして、コンタクトパッド１０〜１２に接続された導電性トラックを提供する。コンタクト端部７〜９は、ＳＭＤ−接点として形成され、コンタクトパッド１０〜１２にはんだ付けされる。
【００３０】
本体部２は、シェル３と基材１３との間に配置され、シェル３によって少なくとも部分的に包囲される。本体部２は、シェル３と基材１３との間に締め付けられてさえよい。基材１３に対して垂直で、コネクタ１の長手方向Ｌに沿って延在する、本質的に箱形の本体部２の長手側面１４、１５には、ラッチ突出部が設けられ、側面１４のラッチ突出部１６、１７のみが図示されている。ラッチ突出部１６、１７は、本質的にＵ字形の断面を有するシェル３の側壁１８、１９に配置されたラッチ開口部を貫通して突出する。図１では、ラッチ開口部２０、２１のみ見ることができる。本体部２およびシェル３のラッチ要素は、長手方向Ｌに対して対称的に配置されてよい。シェル３は、ラッチ突出部１６、１７およびラッチ開口部２０、２１を用いて、本体部２に掛け金が掛けられる。
【００３１】
基材１３に向かう側壁１８、１９の端部は、締結部材内に続き、締結部材２２、２３のみが図示されている。締結部材２２、２３は、基材１３に取り付けられ、基材１３に、例えばネジで留められて、あるいは接着させられてよい。しかしながら、表示した実施形態において、締結部材２２、２３は、ＳＭＤ−パッドとしても形成され、それらがのしかかる基材１３のコンタクトパッド２４、２５にはんだ付けされる。コンタクトパッド２４、２５は、例えば静電放電防止目的のために、接地されてよい。特にこの目的のために、シェル３は、導電性シート金属から成り、打抜加工によって製造されてよい。
【００３２】
本体部２の前方部２６は、プラグ方向Ｄに向かい、その前方部２６において、ジャック２９は、本体部２のコンタクト部分２８へ長手方向Ｌに差し込まれてよい。前方部２６は、カラー２７を有するように形成され、そのカラー２７は、基材１３に対して垂直に延在し、かつその前方部にてコンタクト部分２８が終わる。コンタクト部分２８は、基材１３に平行に、かつ長手方向Ｌに沿って延在する。本体部２およびシェル３も、長手方向Ｌに沿って延在する。
【００３３】
カラー２７を貫通してジャック２９は差し込まれ、ジャック２９のケーブル接合部３０のみ見ることができる。ケーブル接合部３０には、カラー３１が設けられ、そのカラー３１は、本体部２の前方部２６と隣り合う。ジャック２９のコンタクトセクション３２は、プラグ方向Ｄに、コンタクト部分２８の中へ完全に差し込まれる。ジャック２９および特にそのコンタクトセクション３２は、コンタクト部材４〜６に電気的に接続される３つのコンタクトセクションを有して成る、一般的な2.5mm、3.5mmまたは6.5mmのステレオジャックとして形成されてよい。別の実施形態では、ジャック２９により多くのまたはより少ないコンタクトセクションを設けてよく、電気コネクタには、適当な量のコンタクト部材４〜６を設けてよい。
【００３４】
スイッチコンタクト３３は、シェル３から少なくとも部分的に打ち抜かれ、それでもなお、コンタクト部材４に対向して配置される側壁１９に接続されている。別の実施形態において、当然ながら、スイッチコンタクト３３は、側壁１８に接続されていてもよい。しかしながら、ここでは、スイッチコンタクト３３は、側壁１９に接続され、自由端部３４を有し、その自由端部３４は、側壁１９から離れ、コンタクト部材４に向かう。スイッチコンタクト３３は、コンタクト部分２８に向かって僅かに曲がり、かつプラグ方向Ｄに向かうシェル３の端部Ｆに配置され、それは、本体部２の前面２６と隣り合って配置される。舌形スイッチコンタクト３３の先端部を形成する自由端部３４は、長手方向Ｌに対して垂直方向の半径方向Ｒにおよび半径方向Ｒと反対方向に、弾性的に歪められてよい。
【００３５】
図２は、概略斜視図にて、本発明に基づく電気コネクタ１の更なる典型的な実施形態を示しており、機能および構造において、図１の典型的な実施形態の要素に対応する要素に対して、同じ引用符号が用いられている。簡単にするために、図１の典型的な実施形態との違いのみ説明する。
【００３６】
図２において、ジャック２９は、コンタクト部分２８へ差し込まれていない。前方部２６にて開口するコンタクト部分２８は、本質的に円筒形状であることを理解することができる。この実施形態において、シェル３の側壁１８、１９には、１つのラッチ開口部が設けられているだけであり、ラッチ開口部２０のみを見ることができる。ラッチ開口部２０を貫通して、本体部２のラッチ突出部１６が突出する。
【００３７】
シェル３が、ジャック２９によって特に半径方向Ｒに導入される機械力を吸収することができ、それらの力を基材１３へ伝えることができるように、シェル３は、少なくとも半径方向Ｒに本体部２を包囲し、本体部２の前方部２６の領域において終わり、ならびに基材１３に取り付けられる。シェル３を、プラグ方向Ｄに向かい、前方部２６の領域内に配置することによって、得られるてこ部の長さは最小化され、その長さＡは、前方部２６からシェル３までの距離によって決定される。特に、てこ部の長さＡは、前方部２６と第１締結部材２２との間のプラグ方向Ｄにおける距離によって決定される。本体部２が、カラー２７なしで形成される場合、シェル３は前方部２６に到達することができ、長さＡはゼロになることができ、基材１３へのコネクタ１の最適な取り付けをもたらす。てこ部は、半径方向Ｒに作用する機械力を、基材１３に関してコネクタ１の位置を変えようとする回転力に変換する。このようにして、通常基材１３のコネクタ１をはがすであろう半径方向Ｒの力は、本発明に基づく構造のおかげで抑えられることができる。
【００３８】
スイッチコンタクト３３は、シェル３に一体化されており、従って、シェル３の一体部分である。スイッチのシェル側面に、別個のスイッチコンタクトは必要ない。第１コンタクト部材４と併せてスイッチコンタクト３３の機能は、以下の図面で明らかである。
【００３９】
図３は、図２の実施例に基づく電気コネクタ１の概略斜視図である。しかしながら、本体部２および基材１３は図示されていない。更に、コンタクト部材５および６は省略されている。シェル３および第１コンタクト部材４のみが図示されている。しかしながら、コンタクト部材４は、例えば形態嵌め（form fit）のおかげで、本体部２によって適所に保持され、依然として適所にある。
【００４０】
第１コンタクト部材４は、シェル３に電気的に接続されず、特に、スイッチコンタクト３３の自由端部３４からある距離を隔てて配置される。コンタクト部材４は、本質的にＺ字形であり、コンタクト端部７は、基材１３によって規定される面にて延在する。コンタクト部材４の中間セクション３５は、基材１３から離れ、かつ半径方向Ｒに対して本質的に平行に走る。コンタクト端部７から離れている中間セクション３５の端部にて、中間セクション３５は曲がり、かつコンタクト部材４のそれに続くコンタクトセクション３６は、コンタクト端部７に対して本質的に平行に走るが、コンタクト端部７から離れて向き合う。
【００４１】
コンタクト部材４のコンタクトセクション３６は、半径方向Ｒにスイッチコンタクト３３の自由端部３４によって重ねられ、別個のスイッチング要素３３’を形成し、スイッチコンタクト３３および別個のスイッチング要素３３’は、スイッチＳを形成する。
【００４２】
スイッチコンタクト３３は、本質的にＬ字形のスロット３７によって、残りのシェル３から少なくとも部分的に離れている。スロット３７のセクション３７’は、長手方向Ｌに向かう前方部Ｆにて始まり、長手方向Ｌに対して平行に走り、次に、そのセクション３７’は、本質的に直角のフックＫを形成し、側壁１８、１９の一方に向かって、特に、コンタクト部材４に対向する側壁−この実施例では側壁１９へ曲がる。スロット３７のこの第２セクション３７’’は、側壁１９まで延在し、側壁１９において終端する。
【００４３】
クランププレート３８は、長手方向Ｌに対して横方向に、かつスロット３７の第１セクション３７’の隣で、スイッチコンタクト３３と側壁１８との間に延在する。クランププレート３８は、長手方向Ｌおよび基材１３によって規定される面に平行に走り、かつ半径方向Ｒに本体部２に少なくとも部分的に重なる。ジャック２９によって導入される半径方向Ｒ向きの力は、シェル３のクランププレート３８およびそれに連続するセクション３８’によって主に吸収され、その連続するセクション３８’は、長手方向Ｌにクランププレート３８の後方に配置される。
【００４４】
特に、長手方向および長手方向に対する横方向におけるスイッチコンタクト３３のサイズは、シェル３が吸収できる最大保持力に影響を及ぼす。シェル３のクランププレート３８およびそれに連続するセクション３８’が大きくなるにつれて、シェル３が吸収できる最大力はより大きくなる。しかしながら、ジャック２９がコンタクト部分２８に差し込まれている時、別個のスイッチング要素３３’のコンタクトセクション３６がスイッチコンタクト３３の自由端部３４に到達できる／接触できる必要がある。
【００４５】
図４〜図６は、投影面の方向である長手方向Ｌにおける概略図にて、図２および図３の実施形態を表示する。
【００４６】
図４にて、電気コネクタ１は、本体部２、シェル３およびコンタクト部材４と一緒に図示される。電気コネクタ１は基材１３に配置され、カラー２７は省略される。スイッチコンタクト３３の自由端部３４および別個のスイッチング要素３３’のコンタクトセクション３６は、スイッチＳを形成し、スイッチＳは、開口状態Ｏで表示されている。開口状態Ｏにおいて、スイッチコンタクト３３および／または別個のスイッチング要素３３’は、ホームポジションＨにあり、その配置において、それらは歪められていない。これは、外力が、スイッチコンタクト３３および別個のスイッチング要素３３’に作用しないことを意味し、特に、その力は、ジャック２９がコンタクト部分２８に差し込まれる場合、ジャック２９によってもたらされる。ジャック２９がコンタクト部分２８へ差し込まれていない場合、コンタクト部材４のコンタクトセクション３６は、コンタクト部分２８の中に少なくとも部分的に延在する。
【００４７】
図５において、本体部２は完全に省略されている。しかしながら、例えば形態嵌めのおかげで、本体部２によって適所に保持されるコンタクト部材４は、依然として適所にある。本体部２がないと、スイッチコンタクト３３と別個のスイッチング要素３３’との間の隙間３９は、はっきりと見ることができ、隙間３９は、開口状態Ｏの成果である。隙間３９へのコンタクト隆起部４０は、スイッチコンタクト３３の自由端部３４に向かって延在する。コンタクト隆起部４０は、コンタクト部材４のコンタクトセクション３６の部分であり、コンタクトセクション３６の自由端部４１の領域に配置される。
【００４８】
図６において、電気コネクタ１は、シェル３およびコンタクト部材４と一緒に図示されている。上記と同様に、本体部２は省略されている。しかしながら、コンタクト部分２８へ差し込まれたジャック２９のコンタクトセクション３２が図示されている。
【００４９】
コンタクトセクション３２は、コンタクト部分２８を本質的に充填し、従って、別個のスイッチング要素３３’のコンタクトセクション３６を押して、そのホームポジションＨから、ホームポジションＨの半径方向Ｒに後方へ位置する歪められた配置Ｃにする。コンタクトセクション３２のこの配置のせいで、コンタクト部材４は、弾性的に変形される。それゆえ、コンタクト部材４の弾性変形／そのコンタクトセクション３６の弾性移動を可能にするために、少なくともコンタクト部材４は、バネ接点として形成されてよく、コンタクト部材５および６も同様である。
【００５０】
コンタクトセクション３６は、それがスイッチコンタクト３３の自由端部３４と接触するほど遠くへ半径方向Ｒに動かされた。隙間３９はなくなり、スイッチＳは、その閉鎖状態または導電状態Ｘに到達した。
【００５１】
たとえ機械的振動のような外力が、電気コネクタ１に作用する場合でも、スイッチＳを閉鎖したままにするために、スイッチコンタクト３３の自由端部３４も、半径方向Ｒに弾性的に歪められ、かつコンタクトセクション３６、特に別個のスイッチング要素３３’のコンタクト隆起部４０を押し付けるほど遠くまで、ジャック２９は、別個のスイッチング要素３３’のコンタクトセクション３６を歪めることができる。その結果生じる弾性力は、例えば振動に逆らって、状態スイッチＳの閉鎖状態Ｘを確保する。従って、スイッチコンタクト３３もバネ接点として形成される場合、有利である。
【００５２】
上記に基づく状態スイッチＳは、いわゆる常開接点である。別の実施形態では、スイッチコンタクト３３および別個のスイッチング要素３３’が、それらのホームポジションにあって、常閉接点をもたらす場合、状態スイッチＳは、その閉鎖状態または導電状態Ｘにあってよい。ホームポジションＨにおいて、スイッチコンタクト３３および別個のスイッチング要素３３’は、偏り、互いに押し付け、閉鎖状態Ｘを確保してよい。そのスイッチコンタクト３３またはスイッチング要素３３’は、開口状態Ｏにおいて、歪んだ配置Ｃにある。
【００５３】
シェル３およびコンタクト部材４を有する電気コネクタ１は、２つの機能、即ち、コネクタ１の基材１３との接続を確保すること、および更なる部品を必要とせずに、ジャック２９の差込状態を検知するための状態スイッチＳを提供することを提供する。
【００５４】
コネクタ１は、１つより多くのコンタクト部分２８を有してよく、更なるコンタクト部分は、本発明に基づく状態スイッチＳを有するように、またはスイッチＳを有さずに形成される。更に、状態スイッチＳは、プラグ方向Ｄに第１コンタクト部材４からある距離を隔てて配置され、差込操作の途中または終わりにおけるジャック２９の差込状態を検知することができる。特に、スイッチＳは、最終配置のスイッチとして形成され、ジャック２９が、コンタクト部分２８に完全に差し込まれることを検知することができる。更に、２つまたはそれより多くの状態スイッチＳを提供することができ、例えば、コンタクト部分２８のそれぞれの端部の領域における１つの状態スイッチＳである。
【図１】
2011142078.tif 000003
【図２】
2011142078.tif 000004
【図３】
2011142078.tif 000005
【図４】
2011142078.tif 000006
【図５】
2011142078.tif 000007
【図６】
2011142078.tif 000008
【外国語明細書】
2011142078.tif 000009
2011142078.tif 000010
2011142078.tif 000011
2011142078.tif 000012
2011142078.tif 000013
2011142078.tif 000014
2011142078.tif 000015
2011142078.tif 000016
2011142078.tif 000017
2011142078.tif 000018
2011142078.tif 000019
2011142078.tif 000020
2011142078.tif 000021
2011142078.tif 000022
2011142078.tif 000023
2011142078.tif 000024
2011142078.tif 000025
2011142078.tif 000026
2011142078.tif 000027